(57)【要約】【課題】複数の位置から所望の位置を選択する際の操作性を向上させた画面表示を提供する表示制御装置および表示制御方法を提供すること。【解決手段】表示画面に示される複数の位置のうち、ユーザの選択操作に応じて選択される選択候補の移動量を選択可能な表示制御装置である。表示制御装置はまた、現在選択されている位置を示す指標を表示する。表示制御装置は、第１の移動量が設定された場合には、指標が表示されている位置から、ユーザの選択操作に応じて選択される選択候補の位置を、その他の位置とは識別可能に表示する。また、表示制御装置は、第２の移動量が設定された場合には、現在選択されている位置から、ユーザの選択操作に応じて選択される選択候補の位置を、その他の位置とは識別可能に表示する。【選択図】図３
2018194653.tif 000002
【特許請求の範囲】
【請求項１】
表示画面に示される複数の位置のうち、ユーザの選択操作に応じて選択された位置を示す指標を表示するように制御する表示制御手段と、
前記複数の位置のうち、前記ユーザの選択操作に応じて選択される選択候補の移動量として、第１の移動量と、第２の移動量とから少なくとも設定可能な設定手段と、
前記第１の移動量が設定された場合には、前記指標の表示されている位置から、ユーザの選択操作に応じて選択される選択候補の位置を、その他の位置とは識別可能に第１の表示形態で表示し、
前記第２の移動量が設定された場合には、前記指標の表示されている位置から、ユーザの選択操作に応じて選択される選択候補の位置を、その他の位置とは識別可能に前記第１の表示形態で表示するように制御する制御手段とを有することを特徴とする表示制御装置。
【請求項２】
前記第１の移動量と前記第２の移動量とでは、ユーザの選択操作に応じて選択される選択候補が異なることを特徴とする請求項１に記載の表示制御装置。
【請求項３】
前記制御手段は、前記ユーザの選択操作がされたことに応じて、前記第１の表示形態で表示されている選択候補の位置に前記指標を表示するように制御することを特徴とする請求項１または請求項２に記載の表示制御装置。
【請求項４】
ユーザの選択操作は、第１の方向と第２の方向とを含む複数の方向のいずれかの方向へ、選択する位置を移動する指示であり、前記第１の表示形態で表示される選択候補は複数あることを特徴とする請求項１から請求項３のいずれか１項に記載の表示制御装置。
【請求項５】
前記設定手段の設定する移動量として、前記第１の移動量と前記第２の移動量とを切り替え可能な切替手段をさらに有することを特徴とする請求項１から請求項４のいずれか１項に記載の表示制御装置。
【請求項６】
前記表示画面において、前記その他の位置は視認可能に示されることを特徴とする請求項１から請求項５のいずれか１項に記載の表示制御装置。
【請求項７】
前記表示画面に示される複数の位置は、焦点検出領域を設定可能な位置であることを特徴とする請求項１から請求項６のいずれか１項に記載の表示制御装置。
【請求項８】
前記指標の表示されている位置は、現在設定されている焦点検出領域の位置であることを特徴とする請求項７に記載の表示制御装置。
【請求項９】
前記第１の移動量と前記第２の移動量が設定されている時では、前記ユーザの選択操作に応じて選択可能な選択候補の数が異なることを特徴とする請求項１から請求項８のいずれか１項に記載の表示制御装置。
【請求項１０】
前記制御手段は、ユーザの選択操作に応じて、前記指標の表示される位置から、第１の方向へ移動される選択候補の位置までの移動量よりも、前記指標の表示される位置から、前記複数の位置のうち、前記第１の方向の端にある位置までの長さの方が短い場合には、前記端の位置を、前記第１の表示形態で表示するように制御することを特徴とする請求項１から請求項９のいずれか１項に記載の表示制御装置。
【請求項１１】
前記制御手段は、ユーザの選択操作に応じて選択される選択候補の位置を点滅して表示する、または前記その他の位置と表示色を変えて表示をすることのいずれかをすることにより、前記第１の表示形態での表示をするように制御することを特徴とする請求項１から請求項１０のいずれか１項に記載の表示制御装置。
【請求項１２】
前記制御手段は、前記指標と、前記ユーザの選択操作に応じて選択される選択候補の位置の表示とを識別可能に表示するように制御することを特徴とする請求項１から請求項１１のいずれか１項に記載の表示制御装置。
【請求項１３】
前記表示制御装置は、撮像装置であることを特徴とする請求項１から請求項１２のいずれか１項に記載の表示制御装置。
【請求項１４】
前記表示画面は、ファインダを介して視認可能な表示画面であることを特徴とする請求項１から請求項１３のいずれか１項に記載の表示制御装置。
【請求項１５】
表示画面に示される複数の位置のうち、ユーザの選択操作に応じて選択された位置を示す指標を表示するように制御する表示制御手段と、
前記複数の位置のうち、前記ユーザの選択操作に応じて選択される選択候補の移動量として、第１の移動量と、第２の移動量とから少なくとも設定可能な設定手段と、を有する表示制御装置の制御方法であって、
前記表示制御装置の制御手段が、
前記第１の移動量が設定された場合には、前記指標の表示されている位置から、ユーザの選択操作に応じて選択される選択候補の位置を、その他の位置とは識別可能に第１の表示形態で表示することと、
前記第２の移動量が設定された場合には、前記指標の表示されている位置から、ユーザの選択操作に応じて選択される選択候補の位置を、その他の位置とは識別可能に前記第１の表示形態で表示することと、
を有することを特徴とする表示制御装置の制御方法。
【請求項１６】
コンピュータを、請求項１から請求項１４のいずれか１項に記載された表示制御装置の各手段として機能させるためのプログラム。
【請求項１７】
コンピュータを、請求項１から請求項１４のいずれか１項に記載された表示制御装置の各手段として機能させるためのプログラムを格納したコンピュータが読み取り可能な記憶媒体。
【発明の詳細な説明】
【技術分野】
【０００１】
本発明は表示制御装置および表示制御方法に関し、特には、複数の選択候補からいずれかを選択する際に、選択される位置を示す技術に関する。
【背景技術】
【０００２】
従来、ユーザが所定の操作によって複数の選択候補の中から１つを選択できるようにしたユーザインタフェースが知られている。特許文献１には、ユーザが上下左右スイッチなどを用いて複数の測距点（ＡＦ枠）の１つを選択可能な撮像装置が開示されている。
【０００３】
近年では合焦させる位置を厳密に指定できるように、ＡＦ枠の設定可能範囲が拡がり、また選択可能なＡＦ枠の候補の数が増加する傾向にある。例えば、画面のほぼ全体に渡って配置された数百個の候補の中から１つのＡＦ枠を選択可能な撮像装置もある。このような撮像装置では、上下左右スイッチ（方向キー）などを用いてＡＦ枠の選択位置を所望する位置に変更するために必要な操作が煩雑になりうる。
【０００４】
例えば、方向キーが押下されるごとに、押下された方向キーの方向にＡＦ枠の選択位置を１つ移動する構成であるとする。選択可能なＡＦ枠の位置が多数ある場合、現在の選択位置から離れた位置のＡＦ枠を選択するためには方向キーを数多く操作する必要がある。特許文献２では、項目を選択するためのカーソルを、方向キーの操作では１つずつ、ダイヤルの回転操作では大きく移動させることが記載されている。
【先行技術文献】
【特許文献】
【０００５】
【特許文献１】特開平１０−１７０８１３号公報（段落００６０）
【特許文献２】特開２００８−２３３１１７号公報（段落００２４）
【発明の概要】
【発明が解決しようとする課題】
【０００６】
特許文献２のように、操作毎に移動するカーソルが１つずつであったり、大きく変わったりする場合、ユーザが次の操作でカーソルがどこに移動するのか分からなくなる可能性がある。
【０００７】
本発明はこのような従来技術の課題を少なくとも軽減するためになされたものであり、複数の位置から所望の位置を選択する際の操作性を向上させる画面表示を提供する表示制御装置および表示制御方法の提供を目的の１つとする。
【課題を解決するための手段】
【０００８】
上述の目的は、表示画面に示される複数の位置のうち、ユーザの選択操作に応じて選択された位置を示す指標を表示するように制御する表示制御手段と、複数の位置のうち、ユーザの選択操作に応じて選択される選択候補の移動量として、第１の移動量と、第２の移動量とから少なくとも設定可能な設定手段と、第１の移動量が設定された場合には、指標の表示されている位置から、ユーザの選択操作に応じて選択される選択候補の位置を、その他の位置とは識別可能に第１の表示形態で表示し、第２の移動量が設定された場合には、指標の表示されている位置から、ユーザの選択操作に応じて選択される選択候補の位置を、その他の位置とは識別可能に第１の表示形態で表示するように制御する制御手段とを有することを特徴とする表示制御装置によって達成される。
【発明の効果】
【０００９】
このような構成により、本発明によれば、複数の位置から所望の位置を選択する際の操作性を向上させた画面表示を提供する表示制御装置および表示制御方法を提供することができる。
【図面の簡単な説明】
【００１０】
【図１】実施形態に係る表示制御装置の一例であるデジタルカメラの外観例を示す図
【図２】実施形態に係るデジタルカメラの機能構成例を示すブロック図
【図３】実施形態に係るデジタルカメラのファインダ表示例を示す図
【図４】実施形態に係るデジタルカメラのファインダ表示例を示す図
【図５】実施形態に係るデジタルカメラの撮影モード動作に関するフローチャート
【図６】実施形態に係るデジタルカメラのＡＦ枠選択処理に関するフローチャート
【図７】実施形態に係るデジタルカメラの単位移動量変更処理に関するフローチャート
【図８】別の実施形態に係るデジタルカメラの単位移動量変更処理に関するフローチャート
【発明を実施するための形態】
【００１１】
以下、本発明の例示的な実施形態を、添付図面に基づいて詳細に説明する。なお、以下では本発明に係る表示制御装置の一例としてのデジタルカメラの実施形態について説明する。しかし、本発明はグラフィカルユーザインタフェース（ＧＵＩ）を利用可能な任意の電子機器において実施可能である。また、以下では焦点検出領域（ＡＦ枠）の候補を選択する際の表示制御について説明するが、選択候補はＡＦ枠に限定されず、例えばＡＥ枠の設定、メニュー項目などであってもよい。また、所定の操作による選択位置の移動という観点からは、特定の項目を選択する場合に限らず、現在の位置からカーソルを離れた位置に移動させる操作に本発明を適用することができる。このような操作は、地図上のカーソル移動、画像内の拡大／縮小領域の変更、文字（数値）入力位置の移動、設定値を設定するためのバー上の指標移動などを含むが、これらに限定されない。
【００１２】
●（第１実施形態）
図１は本実施形態に係るデジタルカメラ１００の外観例を示し、図１（ａ）は前面斜視図、図１（ｂ）は背面斜視図である。表示部２８は例えばタッチディスプレイであり、ライブビュー画像、記録済みの画像、ＧＵＩ画面、各種情報などを表示する。シャッタボタン６１は撮影準備動作や撮影動作の開始指示をデジタルカメラ１００に与える。モード切替スイッチ６０はデジタルカメラ１００の動作モードや撮影モードを切り替えるために用いられる。メイン電子ダイヤル７１は回転可能であり、例えばシャッタ速度や絞りなどの設定に用いられる。
【００１３】
電源スイッチ７２はデジタルカメラ１００の電源をＯＮ／ＯＦＦするために用いられる。サブ電子ダイヤル７３は回転可能であり、選択位置やカーソルの移動、画像送りなどに用いられる。サブ電子ダイヤル７３の内側に設けられたリング状の十字キー（方向キー）７４は上、下、左、右部分にそれぞれスイッチを有する。なお、上スイッチと右スイッチの両方がＯＮの場合には右上が押下されているといったように、十字キー７４の斜め方向の押下を検知可能であってもよい。サブ電子ダイヤル７３および十字キー７４の中心位置に設けられたＳＥＴボタン（決定ボタン）７５は、主に選択項目の決定に用いられる。
【００１４】
ＡＦ枠選択モードボタン７６は、撮影モードにおいてＡＦ枠選択を行うモードに移行するために用いられる。拡大ボタン７７はライブビュー画像の拡大表示ＯＮ、ＯＦＦの切り替えおよび、拡大表示中に拡大率を増加するために用いられる。拡大ボタン７７はまた、再生モードにおいては再生画像の拡大表示ＯＮ、ＯＦＦの切り替えおよび、拡大表示中に拡大率を増加するために用いられる。縮小ボタン７８は拡大ボタン７７と逆に、拡大表示された画像の拡大率を低減させるために用いられる。切り替えボタン７９はＡＦ枠選択モードにおける選択位置の移動量を切り替えるために用いられる。なお、ＡＦ枠選択モード以外の動作状態では切り替えボタン７９に他の機能を割り当ててもよい。なお、上述したボタン、ダイヤル、スイッチ、タッチパネルなどの入力デバイスはデジタルカメラ１００の操作部７０の一部を構成する。
【００１５】
レンズユニット１５０はフォーカスレンズを含む複数のレンズ、絞り、フォーカスレンズや絞りを駆動するモータ、アクチュエータおよびその制御回路などを含む。レンズユニット１５０は着脱可能であってもなくてもよい。
ファインダ１６はデジタルカメラ１００の内部に設けられたフォーカシングスクリーンを観察するための光学系（接眼レンズ、プリズムなど）を有する。ユーザはファインダ１６をのぞくことにより、フォーカシングスクリーンにレンズユニット１５０が結像する被写体の光学像の合焦度合いや構図を確認することができる。ファインダ１６の近傍には接近検知手段としての接眼センサ９１が設けられ、接眼部に対する物体が近接していること（ユーザがファインダを覗いている状態）を検知するために用いられる。また、デジタルカメラ１００の内部にはファインダ内表示部５３が設けられている。つまり、ファインダ内表示部５３の表示画面は、ファインダを介して視認可能である。ファインダ内表示部５３には、現在の焦点検出領域の位置および大きさを示す指標（例えば枠状の指標）や、撮影条件（シャッタ速度、絞り値、感度など）、設定値を示す数値やアイコンなどが表示される。なお、焦点検出領域はＡＦ枠またはＡＦエリアとも呼ばれる。ファインダ内表示部５３の表示の少なくとも一部はフォーカシングスクリーンに結像される光学像に重畳して観察される。
【００１６】
図２は、図１に示したデジタルカメラ１００の機能構成例を示すブロック図であり、図１と共通する構成には図１と同じ参照数字を付してある。レンズユニット１５０は、レンズユニット１５０の動作を制御するレンズシステム制御回路１１０を有する。レンズシステム制御回路１１０はシステム制御部５０（少なくとも１つのプロセッサまたは回路を含む）からの指示に応じて絞り駆動回路１１１の動作を制御することにより、絞り１０２の開口量（絞り値）を制御する。レンズシステム制御回路１１０はまた、システム制御部５０からの指示に応じてＡＦ駆動回路１１２の動作を制御することにより、フォーカスレンズ１０３を駆動する。なお、図２においてはフォーカスレンズ１０３以外のレンズについては省略している。
【００１７】
ＡＥセンサ１７は、レンズユニット１５０およびクイックリターンミラー１２（以下、ミラー１２）によってフォーカシングスクリーン１３に結像した被写体の光学像の輝度情報を取得する。
焦点検出部１１（ＡＦセンサ）は、ミラー１２および背面に設けられたサブミラーを通じて入射する像を瞳分割して撮像し、位相差検出方式によってデフォーカス量を演算してシステム制御部５０に出力する。システム制御部５０はこのデフォーカス量情報に基づいてレンズユニット１５０のフォーカスレンズ１０３の位置を制御することにより、レンズユニット１５０の焦点調節を行う。
【００１８】
ミラー１２はシステム制御部５０によってアップおよびダウンされる。ミラー１２は図示のダウン状態では、被写体の光学像をファインダ１６に反射するとともに、ハーフミラー領域を透過する光束をサブミラーを通じて焦点検出部１１に入射させる。一方、アップ状態になるとミラー１２は光路外に移動する。これにより、被写体の光学像は撮像部２２の撮像面に結像され、撮像部２２での撮影が可能になる。
【００１９】
したがって、システム制御部５０は、静止画撮影および動画撮影（ライブビュー撮影を含む）に伴う露光期間においてミラー１２をアップ状態に制御し、それ以外の期間はミラー１２をダウン状態に制御する。なお、ミラー１２のアップダウンはユーザ指示に基づいて実行されることもある。
【００２０】
フォーカルプレーンシャッタ１０１（以下、シャッタ１０１）は、システム制御部５０の制御で開閉し、撮像部２２の露光時間を制御する。
撮像部２２は複数の光電変換領域を有し、光電変換領域のそれぞれが、入射した光量に応じた電荷を生成することにより、光学像を電気信号群（アナログ画像信号）に変換するＣＣＤイメージセンサやＣＭＯＳイメージセンサである。撮像部２２の動作はシステム制御部５０が制御する。
【００２１】
Ａ／Ｄ変換器２３は、撮像部２２から出力されるアナログ画像信号をデジタル画像信号（画像データ）に変換するために用いられる。なお、Ａ／Ｄ変換器２３は撮像部２２に含まれてもよい。
【００２２】
画像処理部２４は、Ａ／Ｄ変換器２３またはメモリ制御部１５から供給される画像データに対して各種の画像処理を適用する。画像処理部２４が実行可能な画像処理には、ホワイトバランス調整、デモザイク処理、色調補正処理、被写体認識処理、被写体追尾処理、スケーリング処理、フィルタ処理、符号化処理、復号処理などが含まれてよいが、これらに限定されない。
【００２３】
メモリ制御部１５は、Ａ／Ｄ変換器２３または画像処理回路２４が出力する画像データをメモリ３２に格納したり、メモリ３２に格納されている画像データを画像処理回路２４に出力したりする。また、メモリ制御部１５は、記録媒体Ｉ/Ｆ１８を通じてメモリカードなどの記録媒体２００に画像データを記録したり、記録媒体２００から画像データを読み出してメモリ３２に格納したりする。
【００２４】
メモリ３２は、Ａ／Ｄ変換器２３が出力する画像データや、画像処理部２４によって処理された（あるいは処理中の）画像データの格納に用いられる。メモリ３２は画像表示用のメモリ（ビデオメモリ）を兼ねており、メモリ制御部１５がメモリ３２に格納されている表示用の画像データをＤ／Ａ変換器１９に供給する。
【００２５】
Ｄ／Ａ変換器１９は、表示用の画像データを表示部２８が表示可能なアナログ信号に変換して表示部２８に供給する。表示部２８は例えばタッチディスプレイであり、図１（ｂ）に示したようにデジタルカメラ１００の背面に設けられている。表示部２８はＤ／Ａ変換器１９からのアナログ信号に応じた表示を行う。
【００２６】
本実施形態のデジタルカメラ１００は撮影モードのスタンバイ状態で表示部２８にライブビュー表示を行うため、所定のフレームレートで動画撮影を行う。メモリ制御部１５は、動画撮影で得られたフレーム画像から画像処理部２４で生成された表示用画像データをメモリ３２に格納する。また、メモリ制御部１５は、メモリ３２に格納された表示用画像データを読み出してＤ／Ａ変換器１９に供給する。動画撮影、表示用画像データの生成、表示用画像データのＤ／Ａ変換器１９を通じた表示部２８への供給を継続的に行うことにより、表示部２８でのライブビュー表示が実現できる。
【００２７】
不揮発性メモリ５６は、システム制御部５０によって電気的に消去・記録可能なメモリであり、例えばＥＥＰＲＯＭ等が用いられる。不揮発性メモリ５６には、システム制御部５０が有するプログラマブルプロセッサが実行可能なプログラム、動作用の定数、設定値、ＧＵＩデータなどが記憶される。
【００２８】
システム制御部５０は、少なくとも１つのプログラマブルプロセッサーを有し、不揮発性メモリ５６に記憶されたプログラムをシステムメモリ５２に展開してプログラマブルプロセッサで実行することにより、デジタルカメラ１００の動作を実現する。システム制御部５０はメモリ３２、Ｄ／Ａ変換器１９、表示部２８やファインダ内表示部５３などを制御することによりデジタルカメラ１００における表示動作も制御する。
【００２９】
システム制御部５０はまた、焦点検出部１１で得られたデフォーカス量に基づいた自動焦点検出（ＡＦ）動作、ＡＥセンサ１７で得られた輝度情報に基づいた自動露出制御（ＡＥ）動作も制御する。
【００３０】
シャッタボタン６１は半押し状態でオンする第１シャッタスイッチ６２と、全押し状態でオンする第２シャッタスイッチ６４とを有する。システム制御部５０は第１シャッタスイッチ６２のオンを撮影準備開始指示、第２シャッタスイッチ６４のオンを撮影開始指示として解釈する。撮影準備処理はＡＦ処理、ＡＥ処理、ＡＷＢ（オートホワイトバランス）処理、ＥＦ（フラッシュプリ発光）処理などを含む。撮影処理は、撮像部２２の露光、信号読み出しから、記録媒体２００に画像データを書き込むまでの一連の処理である。
【００３１】
操作部７０はデジタルカメラ１００に設けられ、ユーザが操作可能な入力デバイス群であり、図１を用いて説明したスイッチ、ボタン、ダイヤルは操作部７０に含まれる。また、便宜上独立して記載しているが、モード切替スイッチ６０、シャッタボタン６１、表示部２８が備えるタッチパネルも操作部７０の一部を構成する。
【００３２】
電源制御部８０は、電池検出回路、ＤＣ−ＤＣコンバータ、通電するブロックを切り替えるスイッチ回路等により構成され、電池の装着有無、種類、残量などを検出する。また、電源制御部８０は、検出結果およびシステム制御部５０の指示に基づいてＤＣ−ＤＣコンバータを制御し、必要な電圧を各部に供給する。
【００３３】
電源部３０は電池やＡＣアダプタなどであってよい。記録媒体Ｉ/Ｆ１８は、メモリカードやハードディスク等の記録媒体２００とのインターフェースである。
【００３４】
図４は、ファインダ内表示部５３の表示例を示す図である。
ファインダ内表示部５３は、視野内表示領域３５と、情報表示領域３６とを有する。視野内表示領域３５の表示内容は、光学像に重畳した表示としてファインダ１６で観察される。本実施形態ではフォーカシングスクリーン上にファインダ内表示部５３を配置しているため、ファインダ内表示部５３は透過型の表示装置、例えば、透過率の高いポリマーネットワーク液晶表示装置（ＰＮＬＣＤ）で構成される。
【００３５】
視野内表示領域３５には焦点検出領域（ＡＦ枠）を設定可能な位置を示す選択枠３７が表示される（図４では全ての選択枠３７を表示した状態を示している）。個々の選択枠３７は、枠３７ａと、枠３７ａの中心に配置された点３７ｂから構成され、いずれかまたは両方を表示することができる。ファインダ内表示部５３がモノクロＬＣＤの場合、選択枠３７は黒色で表示される。しかしながら、例えば赤色としたい部分と黒色としたい部分を交互に表示し、赤色としたい部分が表示される期間だけ視野内表示領域３５を赤く照明することで、赤色表示と黒色表示とが存在している（表示色が異なる）ように見せることが可能である。以下では赤色の照明を併用して赤色表示の様に見せる表示制御を便宜上、赤色表示と呼ぶ。視野内表示領域３５は、例えばファインダ内表示部５３の側方に設けたＬＥＤで照明することができる。
【００３６】
なお、表示期間を３以上に分割し、照明のない期間、通常の明るさの照明の期間、より明るい照明の期間とすることで、明るさの異なる赤色表示を行ってもよい。同様にして、２色以上の照明を用いることで、３色以上の表示を実現してもよい。あるいは、ファインダ内表示部５３自体が多色表示可能な構成であってもよい。また、表示期間の制御により、点滅しているように見せることができ、便宜上、点滅表示と呼ぶ。
【００３７】
本実施形態のデジタルカメラ１００は、ＡＦ枠の設定可能位置を縦方向に９個、横方向に１５個配置している。したがって、視野内表示領域３５には縦方向に９行、横方向に１５列の１３５個の選択枠３７が配置されている。
【００３８】
撮影表示領域３６は主に撮影条件を表示するために用いられる。図４では、撮影表示領域３６が、シャッタ秒時表示部３６ａ、絞り表示部３６ｂ、シフト量表示部３６ｃ、指標部３６ｄ、ＩＳＯ感度表示部３６ｅおよび合焦表示部３６ｆにより構成される例を示している。シャッタ秒時表示部３６ａはシャッタ秒時を示し、絞り表示部３６ｂは絞り値を示す。シフト量表示部３６ｃは適正露出に対するシフト量（露出補正量）を示し、指標部３６ｄはシフト量の指標である。ＩＳＯ感度表示部３６ｅはＩＳＯ感度を示す。合焦表示部３６ｆは合焦・非合焦を点灯・非点灯によって示す。
【００３９】
本実施形態のデジタルカメラ１００は、操作部７０の操作により、予め定められた複数の設定可能位置のいずれかにＡＦ枠を設定することができる。具体的には、システム制御部５０は、ＡＦ枠選択モードにおいて方向性のある所定の操作を１回検出するごとに、ファインダ内表示部５３における仮設定中の位置表示を、ＡＦ枠の設定可能位置からなる座標系内で、検出した操作に応じた方向に所定量移動させる。そして、システム制御部５０は、決定指示の操作を検出した時点における仮設定中の位置表示に該当するＡＦ枠を設定する。なお、ＡＦ枠の設定可能位置からなる座標系とは、図４の例であれば例えば縦方向の座標が１〜９、横方向の座標が１〜１５の直交座標系である。座標値の範囲は原点に応じて変わりうる。
【００４０】
ここで、方向性のある所定の操作（選択操作）としては、十字キー７４の押下、タッチパネルで検出されるドラッグ操作、ダイヤルの回転などがあるが、これらに限定されない。操作は例えば予め定められた所定時間または距離にわたって継続した入力が検出されるごとに１回の操作と検出するものとする。従って、システム制御部５０は、スイッチやボタンの長押しについては所定時間ごとに１回の操作を検出し、タッチパネル上のドラッグ操作についてはタッチ位置の継続した所定距離の移動ごとに１回の操作を検出する。また、決定指示の操作としては、ＳＥＴボタン７５の押下（オン）、タッチパネルに対するダブルタップ操作などがあるが、これらに限定されない。
【００４１】
本実施形態では１回の操作あたりの位置の移動量（単位移動量とも呼ぶ）を可変とする。ここでは一例として移動量が３段階である場合について説明するが、２段階以上であればよい。また、説明および理解を容易にするため、所定の操作が十字キー７４の押下であるものとする。
ここでは、仮設定中の位置を移動可能な方向が上下左右方向であり、
・レベル１：縦方向および横方向の単位移動量が１
・レベル２：縦方向の単位移動量が２、横方向の単位移動量が４
・レベル３：縦方向の単位移動量が４、横方向の単位移動量が７
であるとする。レベル２は設定可能位置の行方向の総数（１５）および列方向の総数（９）の１／４程度の移動量である。また、レベル３は設定可能位置の行方向の総数（１５）および列方向の総数（９）の１／２程度の移動量である。なお、斜め方向への入力を有効とする場合、斜め方向の単位移動量を別途定めても良いし、縦方向および横方向の両方について単位移動量移動させるものとしてもよい。
【００４２】
レベル２、３が設定されている場合、通常の設定であるレベル１よりも少ない操作回数で位置を大きく移動できるため、設定可能位置が多数ある場合の操作性を向上させることができる。一方、レベル１の単位移動量が設定されている場合には、設定可能位置の全てから１つの位置を選択することができるのに対し、レベルが高くなるほど選択可能な位置の数が減少する。したがって、１回の操作あたりの位置の移動量を変更することは、選択可能な位置の数を変更することと同義である。
【００４３】
本実施形態において、単位移動量の切り替えは、切り替えボタン７９の押下に応じて行うことができる。例えば切り替えボタン７９が押下されるごとにレベルが上昇し、最大レベルの次は最小レベルに切り替わるように構成することができる。この場合、上述した例では切り替えボタン７９が押下されるごとにレベル１→レベル２→レベル３→レベル１…と切り替わる。
【００４４】
なお、単位移動量の切り替えはサブ電子ダイヤル７３や、表示部２８のタッチパネルの操作に応じて行ってもよい。サブ電子ダイヤル７３のような回転部材を用いる場合、回転方向によってレベルの増加、減少を切り替えてもよい。また、タッチパネル操作の場合、例えばタップ操作が検出されるごとにレベルを切り替えてもよい。また、ユーザがファインダ１６をのぞいているかどうかを接眼センサ９１などで検出できる場合には、検出結果に応じて切り替え動作を異ならせてもよい。例えばユーザがファインダ１６をのぞいていない場合には、タッチパネル操作によって単位移動量のレベルのリストを表示し、任意の単位移動量のレベルを直接設定できるようにしてもよい。
【００４５】
所定の操作（選択操作）１回あたりの位置の移動量（単位移動量）を可変とすることにより、選択可能な位置の数が、現在設定されている単位移動量に応じて変化する。そのため、本実施形態ではファインダ内表示部５３の表示を制御し、次の操作によって移動する位置の候補を示す指標を表示することにより、現在設定されている単位移動量と、設定可能な位置に関する情報をユーザに提供する。指標の表示方法の具体例については後述する。
【００４６】
図５は、デジタルカメラ１００の撮影モードにおける動作の概要を示すフローチャートである。図５のフローチャートに示す動作は、システム制御部５０が不揮発性メモリ５６に記憶されたプログラムをシステムメモリ５２に読み込んで実行し、デジタルカメラ１００の各部を制御することによって実現される。
【００４７】
操作部７０の電源スイッチ操作などにより、デジタルカメラ１００の電源がＯＮされると、システム制御部５０は初期化処理などを実行し、撮影モードでの動作を開始し、撮影スタンバイ状態になる（Ｓ５０１）。撮影スタンバイ状態でシステム制御部５０は、動画撮影および撮影された動画の表示を継続して実行することにより表示部２８を電子ビューファインダとして機能させながら、操作部７０の操作を監視する。
【００４８】
Ｓ５０３でシステム制御部５０は、ＡＦ枠の選択開始指示があったか否かを判定し、あったと判定されればＳ５０５に、あったと判定されなければＳ５０７に処理を進める。ＡＦ枠の選択開始指示は、例えばＡＦ枠選択モードボタン７６の押下であってよい。
【００４９】
Ｓ５０５でシステム制御部５０はＡＦ枠選択処理を行い、ユーザ指示に応じてＡＦ枠を設定して処理をＳ５０７に進める。ＡＦ枠選択処理の詳細については図６および図７のフローチャートを用いて後述する。
【００５０】
Ｓ５０７でシステム制御部５０は、撮影準備処理の開始指示があったか否かを判定し、あったと判定されればＳ５０９に、あったと判定されなければＳ５１５に処理を進める。撮影準備処理の開始指示は、例えば第１シャッタスイッチ６２のオンであってよい。
【００５１】
Ｓ５０９でシステム制御部５０は撮影準備処理を行い、処理をＳ５１１に進める。撮影準備処理はＡＦ（オートフォーカス）処理、ＡＥ（自動露出）処理、ＡＷＢ（オートホワイトバランス）処理、ＥＦ（フラッシュプリ発光）処理などを含む。
【００５２】
Ｓ５１１でシステム制御部５０は、撮影処理の開始指示があったか否かを判定し、あったと判定されればＳ５１３に、あったと判定されなければＳ５１５に処理を進める。撮影処理の開始指示は、例えば第２シャッタスイッチ６４のオンであってよい。
【００５３】
Ｓ５１３でシステム制御部５０は撮影処理を行い、処理をＳ５１５に進める。撮影処理は、撮像部２２の露光、信号読み出しから、記録媒体２００に画像データを書き込むまでの一連の処理である。なお、第２シャッタスイッチ６４のオンが継続している場合や、ブラケット撮影の場合など、連写を行う場合には撮影動作を継続する。
【００５４】
撮影処理が終了するとＳ５１５でシステム制御部５０は、撮影モードの終了示があったか否かを判定し、あったと判定されれば撮影モードの動作を終了し、あったと判定されなければＳ５０３に処理を戻す。撮影モードの終了指示は、例えば再生モードへの移行指示であったり、電源オフの指示であってよい。
【００５５】
次に、図５のＳ５０５で実行するＡＦ枠選択処理の詳細を図６および図７のフローチャートを用いて説明する。図６および図７のフローチャートに示す動作は、システム制御部５０が不揮発性メモリ５６に記憶されたプログラムをシステムメモリ５２に読み込んで実行し、デジタルカメラ１００の各部を制御することによって実現される。
【００５６】
Ｓ６０２でシステム制御部５０は、ファインダ内表示部５３に、ＡＦ枠選択処理において現在選択されている選択枠の位置（基準位置）の初期値として、現在設定されているＡＦ枠に対応する位置を用い、基準位置の選択枠３７を判別可能に表示させる。なお、以下の説明において、基準位置の選択枠を仮設定枠とも呼ぶ。現在設定されているＡＦ枠の位置情報は例えば不揮発性メモリ５６に記憶されている。例えば、システム制御部５０は、仮設定枠については枠３７ａだけを表示し、他の全ての選択枠３７については点３７ｂだけを表示するようにファインダ内表示部５３の表示を制御することができる。また、システム制御部５０は、仮設定枠については赤色に、他の選択枠３７については黒色に観察されるように（表示色が異なるように）ファインダ内表示部５３の表示を制御してもよい。これらは例示であり、他の表示形態も採用しうる。
【００５７】
なお、システム制御部５０は、撮影モードにおいて、ＡＦ枠選択処理中でない状態では、現在設定されているＡＦ枠に対応する選択枠を表示し、他の選択枠は表示しないようにファインダ内表示部５３の表示を制御することができる。
【００５８】
Ｓ６０３でシステム制御部５０は、例えば不揮発性メモリ５６を参照し、直近に設定された単位移動量がレベル３か否か判定し、レベル３と判定されればＳ６０４へ、レベル３と判定されなければＳ６０５へ、処理を進める。
【００５９】
Ｓ６０４でシステム制御部５０は、単位移動量をレベル３に設定し、処理をＳ６０８に進める。
Ｓ６０５でシステム制御部５０は、例えば不揮発性メモリ５６を参照し、直近に設定された単位移動量がレベル２か否か判定し、レベル２と判定されればＳ６０６へ、レベル２と判定されなければＳ６０７へ、処理を進める。
【００６０】
Ｓ６０６でシステム制御部５０は、単位移動量をレベル２に設定し、処理をＳ６０８に進める。
Ｓ６０７でシステム制御部５０は、単位移動量をレベル１に設定し、処理をＳ６０８に進める。
なお、Ｓ６０３〜Ｓ６０７の処理は、直近の設定値をそのまま設定する処理に置き換えてもよい。
【００６１】
Ｓ６０８でシステム制御部５０は、仮設定枠の位置が最上行に位置しているか否かを判定し、最上行に位置していると判定されればＳ６１５に、判定されなければＳ６０９に処理を進める。なお、ここで上とは図１の紙面上方に相当する方向である。
【００６２】
Ｓ６０９でシステム制御部５０は、仮設定枠を現在の位置（基準位置）から単位移動量上に移動可能であるか否かを判定し、移動可能と判定されればＳ６１１に、判定されなければＳ６１０に、処理を進める。この判定は例えば、基準位置より上側に存在するＡＦ枠の設定可能位置もしくは選択枠の数が、現在設定されているレベルの縦方向の単位移動量以上か否かの判定であってよい。
【００６３】
Ｓ６１０でシステム制御部５０は、仮設定枠と同列で、最上行の選択枠３７の点３７ｂの表示形態を変更して処理をＳ６１２に進める。
Ｓ６１１でシステム制御部５０は、仮設定枠と同列で、かつ縦方向の単位移動量だけ上側の選択枠３７の点３７ｂの表示形態を変更して処理をＳ６１２に進める。
【００６４】
Ｓ６１２でシステム制御部５０は、仮設定枠が最下行に位置しているか否かを判定し、最下行に位置していると判定されればＳ６１６に、判定されなければＳ６１３に処理を進める。
【００６５】
Ｓ６１３でシステム制御部５０は、仮設定枠を現在の位置（基準位置）から単位移動量下に移動可能であるか否かを判定し、移動可能と判定されればＳ６１５に、判定されなければＳ６１４に、処理を進める。この判定は例えば、基準位置より下側に存在するＡＦ枠の設定可能位置もしくは選択枠の数が、現在設定されているレベルの縦方向の単位移動量以上か否かの判定であってよい。
【００６６】
Ｓ６１４でシステム制御部５０は、仮設定枠と同列で、最下行の選択枠３７の点３７ｂの表示形態を変更して処理をＳ６１６に進める。
Ｓ６１５でシステム制御部５０は、仮設定枠と同列で、かつ縦方向の単位移動量だけ下側の選択枠３７の点３７ｂの表示形態を変更して処理をＳ６１６に進める。
Ｓ６１４、Ｓ６１５での表示形態の変更は、それぞれＳ６１０、Ｓ６１１と同様とする。
【００６７】
Ｓ６１６でシステム制御部５０は、仮設定枠が最右列に位置しているか否かを判定し、最右列に位置していると判定されればＳ６２３に、判定されなければＳ６１７に処理を進める。
【００６８】
Ｓ６１７でシステム制御部５０は、仮設定枠を現在の位置（基準位置）から単位移動量右に移動可能であるか否かを判定し、移動可能と判定されればＳ６１９に、判定されなければＳ６１８に、処理を進める。この判定は例えば、基準位置より右側に存在するＡＦ枠の設定可能位置もしくは選択枠の数が、現在設定されているレベルの横方向の単位移動量以上か否かの判定であってよい。
【００６９】
Ｓ６１８でシステム制御部５０は、仮設定枠の位置と同行で、最右列の位置の選択枠３７の点３７ｂの表示形態を変更して処理をＳ６２３に進める。
Ｓ６１９でシステム制御部５０は、仮設定枠の位置と同行で、かつ横方向の単位移動量だけ右側の位置の選択枠３７の点３７ｂの表示形態を変更して処理をＳ６２０に進める。
【００７０】
Ｓ６２０でシステム制御部５０は、仮設定枠が最左列に位置しているか否かを判定し、最左列に位置していると判定されればＳ６２４に、判定されなければＳ６２１に処理を進める。
【００７１】
Ｓ６２１でシステム制御部５０は、仮設定枠を現在の位置（基準位置）から単位移動量左に移動可能であるか否かを判定し、移動可能と判定されればＳ６２３に、判定されなければＳ６２２に、処理を進める。この判定は例えば、基準位置より左側に存在するＡＦ枠の設定可能位置もしくは選択枠の数が、現在設定されているレベルの横方向の単位移動量以上か否かの判定であってよい。
【００７２】
Ｓ６２２でシステム制御部５０は、仮設定枠と同行で、最左列の位置の選択枠３７の点３７ｂの表示形態を変更して処理をＳ６２４に進める。
Ｓ６２３でシステム制御部５０は、仮設定枠と同行で、かつ横方向の単位移動量だけ左側の位置の選択枠３７の点３７ｂの表示形態を変更して処理をＳ６２４に進める。
Ｓ６２２、Ｓ６２３での表示形態の変更は、それぞれＳ６１９、Ｓ６１８と同様とする。
【００７３】
Ｓ６１１、Ｓ６１２、Ｓ６１４、Ｓ６１５、Ｓ６１８、Ｓ６１９、Ｓ６２２、Ｓ６２３は、次に所定の操作が検出された際に仮設定枠が移動する位置の候補を示す指標の表示位置を決定する処理である。換言すれば、これらステップにおいて表示形態の変更の対象となる選択枠は、次に所定の操作が検出された際に仮設定枠が移動する位置の候補であり、変更後の表示は、次に所定の操作が検出された際に選択される位置を示す指標となる。したがって、ユーザはファインダ１６をのぞいて光学ファインダ像を観察することにより、現在設定されている単位移動量と、次の操作によって選択可能なＡＦ枠の位置（移動位置）の候補を知ることができる。そのため、ユーザは、例えば現在設定されている単位移動量が大きすぎて所望の位置を選択できない場合には単位移動量が小さくなるように設定を変更することができる。また、ユーザは、例えば現在設定されている単位移動量では所望の位置を選択する操作に時間がかかると思われる場合には単位移動量を大きくなるように設定を変更したりすることができる。
【００７４】
Ｓ６１１、Ｓ６１２、Ｓ６１４、Ｓ６１５、Ｓ６１８、Ｓ６１９、Ｓ６２２、Ｓ６２３において、変更前の表示形態が枠３７ａおよび点３７ｂの非表示であれば、変更後の表示形態は枠３７ａおよび／または点３７ｂの何らかの表示であってよい。変更前の表示形態が枠３７ａの非表示、点３７ｂの黒色の連続表示であるとすると、変更後の表示形態は枠３７ａの非表示、点３７ｂの、黒色もしくは赤色の点滅表示あるいは赤色の連続表示であってよい。これらは例示であり、他の表示形態を採用してもよい。ただし、枠３７ａの表示を行う場合には、仮設定枠の表示形態とは異ならせる。なお、次の操作によって選択可能なＡＦ枠の位置を表示し、次の操作によっては選択できないＡＦ枠の位置を非表示にしてしまうと、ユーザが目標としているＡＦ枠を見失ってしまう可能性がある。例えば、ユーザが現在の位置から遠くにあるＡＦ枠を選択する際に、単位移動量を大きくして近くのＡＦ枠を選択した後、単位移動量を小さくして所望のＡＦ枠を選択しようとする。このとき、単位移動量が大きいときに目的のＡＦ枠が非表示となってしまうと、ユーザは目標のＡＦ枠の位置を見失ってしまい、どこまで現在の単位移動量で移動すればよいのか分からなくなる可能性がある。
【００７５】
Ｓ６２４でシステム制御部５０は、仮設定枠および、表示形態を変更した選択枠以外の全ての選択枠（残りの選択枠）の表示を更新するよう、ファインダ内表示部５３を制御する。残りの選択枠については、仮設定枠および、表示形態を変更した選択枠と異なる表示形態とする。仮設定枠が移動した場合、移動前の仮設定枠および仮設定枠の移動先候補の設定枠の表示形態は、Ｓ６２４で通常の選択枠の表示形態に戻される。なお、移動前の仮設定枠および仮設定枠の移動先候補の設定枠の表示形態の復帰は、移動後の仮設定枠の表示やそれに伴う移動先候補の選択枠の表示形態を変更した際に実行してもよい。
【００７６】
Ｓ６２５でシステム制御部５０は、単位移動量の変更指示があったか否かを判定し、単位移動量の変更指示があったと判定されればＳ６２６へ、判定されなければＳ６２７に処理を進める。単位移動量の変更指示は、切り替えボタン７９の押下（オン）であってよい。
【００７７】
Ｓ６２６でシステム制御部５０は、単位移動量の変更処理を行い、処理をＳ６０８に戻す。単位移動量の変更処理の詳細については図７のフローチャートを用いて後述する。
Ｓ６２７でシステム制御部５０は、十字キー７４の操作がなされたか否かを判定し、操作がなされたと判定されればＳ６２８へ、判定されなければＳ６３０に処理を進める。
【００７８】
Ｓ６２８でシステム制御部５０は、仮設定枠の位置（基準位置）を、十字キー７４の操作方向（押下された位置またはオンになったスイッチの位置）および単位移動量とに基づく位置に移動する。具体的には、システム制御部５０は、Ｓ６０８〜Ｓ６２３において求めた、仮設定枠の各方向における移動先候補位置をシステムメモリ５２に記憶しておく。そして、Ｓ６２８でシステム制御部５０は、十字キー７４の操作方向に対応する移動先候補の位置を、移動後の基準位置として取得する。
【００７９】
Ｓ６２９でシステム制御部５０は、Ｓ６２８で求めた移動後の基準位置に対応する選択枠（新たな仮設定枠）について、枠３７ａが赤色表示されるように変更し、処理をＳ６０８に戻す。ここで表示形態の変更の対象となる選択枠は、Ｓ６１１、Ｓ６１２、Ｓ６１４、Ｓ６１５、Ｓ６１８、Ｓ６１９、Ｓ６２２、Ｓ６２３で表示形態が変更された、移動位置の候補を示す４つの選択枠の１つである。４つの選択枠のうち、移動後の基準位置にならなかった３つの選択枠と、移動前の仮設定枠については、この時点で通常の選択枠の表示形態に復帰させてもよい。
【００８０】
なお、本実施形態のＡＦ枠選択処理の実行中、システム制御部５０は、以下の形態で選択枠が表示されるよう、ファインダ内表示部５３の表示を制御する。
基準位置の選択枠（仮設定枠）：枠３７ａを赤色表示、点３７ｂを非表示（Ｓ６０２、Ｓ６２８）
仮設定枠の移動位置の候補を示す選択枠（次に選択される位置の指標）：枠３７ａを非表示、点３７ｂを黒色点滅表示（Ｓ６１１、Ｓ６１２、Ｓ６１４、Ｓ６１５、Ｓ６１８、Ｓ６１９、Ｓ６２２、Ｓ６２３）
その他の選択枠：枠３７ａを非表示、点３７ｂを黒色連続表示（Ｓ６２４）
なお、これは一例であり、他の表示形態を採用することもできる。
【００８１】
なお、ＡＦ枠選択処理中、仮設定枠とは別に、現在設定されているＡＦ枠に対応する選択枠を判別可能に表示してもよい。この場合、仮設定枠とは異なる表示形態（例えば枠３７ａの黒色表示）とする。
【００８２】
Ｓ６３０でシステム制御部５０は、決定指示があったか否かを判定し、決定指示があったと判定されればＳ６３１へ処理を進め、決定指示があったと判定されなければＳ６２５に処理を戻す。決定指示は例えばＳＥＴボタン７５の押下（オン）や、第１シャッタスイッチ６２のオンであってよい。
【００８３】
Ｓ６３１でシステム制御部５０は、仮設定枠を新たなＡＦ枠として設定し、処理を終了する。
【００８４】
なお、ここではＳ６０９、Ｓ６１３、Ｓ６１７、Ｓ６２１で上下左右方向に単位移動量分の移動した位置の選択ができないと判定された場合には、その方向の端部の位置を移動位置の候補として表示形態を変更した。しかし、最上行と最下行、最右列と最左列とがつながっているものとして移動位置の候補を決定してもよい。例えば、右方向の端部まで３つの設定可能位置があり、横方向の単位移動量が４の場合、上述の例では右端の位置を移動位置の候補としたが、左端の位置を移動位置の候補とするように構成してもよい。
【００８５】
図３に、上述したＡＦ枠選択処理中のファインダ内表示部５３の表示例を示す。図３（Ａ）〜図３（Ｃ）は、選択枠の単位移動量がレベル１〜レベル３の場合の、Ｓ６２５実行時点の表示例をそれぞれ示している。
仮設定枠については、枠３７ａ’が表示され、点３７ｂは表示されない。移動位置の候補を示す選択枠については、枠３７ａは表示されず、点３７ｂ−１〜３７ｂ−４が点滅表示される。
【００８６】
図３（Ａ）〜図３（Ｃ）はいずれも、仮設定枠が上下左右方向に単位移動量だけ移動可能な場合の表示例を示している。これに対し、図３（Ｄ）は、単位移動量がレベル３の状態で、左および上には単位移動量の移動ができない場合の表示例を示している。また、図３（Ｅ）は、単位移動量がレベル２であり、移動位置の候補を示す選択枠の表示形態を、点３７ｂの点滅黒色表示の代わりに、枠３７ａの連続黒色表示とした例を示している。移動位置の候補を表す選択枠のそれぞれは、対応する方向を示す所定の操作１回で仮設定枠が移動する位置を示している。このように、候補を示す選択枠の表示形態は点滅に限らず、枠表示としてもよい。また、他の位置とは識別可能であれば、表示色を変えたり、線の太さを変えたり、輝度を変えるようにしてもよい。また、現在のＡＦ位置を示す表示と、候補を示す表示とは識別可能であればよい。
【００８７】
Ｓ６２６における単位移動量の変更処理について、図７のフローチャートを用いて説明する。図７のフローチャートに示す動作は、システム制御部５０が不揮発性メモリ５６に記憶されたプログラムをシステムメモリ５２に読み込んで実行し、デジタルカメラ１００の各部を制御することによって実現される。
【００８８】
Ｓ７０１でシステム制御部５０は、変更前（現在）の単位移動量がレベル３か否かを判定し、レベル３と判定されれば処理をＳ７０２に進め、単位移動量をレベル１に変更して処理を終了する。一方、システム制御部５０は、変更前の単位移動量がレベル３と判定されなければ処理をＳ７０３に進める。
【００８９】
Ｓ７０３でシステム制御部５０は、変更前の単位移動量がレベル１か否かを判定し、レベル１と判定されれば処理をＳ７０４に進め、単位移動量をレベル２に変更して処理を終了する。一方、システム制御部５０は、変更前の単位移動量がレベル１と判定されなければ処理をＳ７０５に進める。Ｓ７０５が実行されるのは、変更前（現在）の単位移動量がレベル２の場合であるため、システム制御部５０は、単位移動量をレベル３に変更して処理を終了する。
【００９０】
以上説明したように本実施形態では、所定の操作によって現在の位置から所定の移動量だけ離れた位置を選択可能な表示画面において、所定の移動量を可変とするとともに、次の所定の操作で選択される位置を示す指標を表示するようにした。そのため、ユーザは次の操作によって選択可能な位置と、現在の移動量とについて知ることができる。そして、ユーザは、現在の位置と選択したい位置との関係に応じて、移動量を調節することにより、効率よく所望の位置を選択することができる。
【００９１】
●（第２実施形態）
次に、本発明の第２実施形態について図面を参照しながら説明する。第１実施形態では切り替えボタン７９の操作によって一方向に単位移動量を変更する構成であった。本実施形態では、拡大ボタン７７および縮小ボタン７８の操作のいずれが操作されたかによって単位移動量の変化する方向を異ならせる。
【００９２】
本実施形態は単位移動量変更処理以外は第１実施形態と共通であってよい。そのため、以下では本実施形態における単位移動量変更処理について、図８のフローチャートを用いて説明する。図８のフローチャートに示す動作は、システム制御部５０が不揮発性メモリ５６に記憶されたプログラムをシステムメモリ５２に読み込んで実行し、デジタルカメラ１００の各部を制御することによって実現される。
【００９３】
Ｓ８０１でシステム制御部５０は、変更前（現在）の単位移動量がレベル３か否かを判定し、変更前の単位移動量がレベル３と判定されればＳ８０２に、判定されなければＳ８０４に処理を進める。
【００９４】
Ｓ８０２でシステム制御部５０は、図６のＳ６２５で検出された単位移動量の変更指示が、拡大ボタン７７の操作（オン）か否かを判定し、拡大ボタン７７の操作と判定されれば処理をＳ８０３に進め、単位移動量をレベル１に変更して処理を終了する。一方、システム制御部５０は、単位移動量の変更指示が拡大ボタン７７の操作と判定されなければ（あるいは、縮小ボタン７８の操作と判定されれば）処理をＳ８０６に進め、単位移動量をレベル２に変更して処理を終了する。
【００９５】
Ｓ８０４でシステム制御部５０は、変更前（現在）の単位移動量がレベル１か否かを判定し、変更前の単位移動量がレベル１と判定されればＳ８０５に、判定されなければＳ８０７に処理を進める。
【００９６】
Ｓ８０５でシステム制御部５０は、図６のＳ６２５で検出された単位移動量の変更指示が、拡大ボタン７７の操作（オン）か否かを判定し、拡大ボタン７７の操作と判定されれば処理をＳ８０６に進め、単位移動量をレベル２に変更して処理を終了する。一方、システム制御部５０は、単位移動量の変更指示が拡大ボタン７７の操作と判定されなければ（あるいは、縮小ボタン７８の操作と判定されれば）処理をＳ８０８に進め、単位移動量をレベル３に変更して処理を終了する。
【００９７】
Ｓ８０７が実行されるのは、変更前（現在）の単位移動量がレベル２の場合である。Ｓ８０７でシステム制御部５０は、図６のＳ６２５で検出された単位移動量の変更指示が、拡大ボタン７７の操作（オン）か否かを判定し、拡大ボタン７７の操作と判定されれば処理をＳ８０８に進め、単位移動量をレベル３に変更して処理を終了する。一方、システム制御部５０は、単位移動量の変更指示が拡大ボタン７７の操作と判定されなければ（あるいは、縮小ボタン７８の操作と判定されれば）処理をＳ８０９に進め、単位移動量をレベル１に変更して処理を終了する。
【００９８】
このように、本実施形態では、単位移動量の変更指示が拡大ボタン７７の操作であればレベルを上げ、縮小ボタン７８の操作であればレベルを下げるように単位移動量を変更する。また、最大レベルが設定されている際に拡大ボタン７７が操作された場合には最小レベルに、最小レベルが設定されている際に縮小ボタン７８が操作された場合には最大レベルに変更する。
【００９９】
本実施形態では、単位移動量の変更方向（増加方向か減少方向か）をユーザが指定できるようにしたので、一方向にのみ変更できる構成と比較するとユーザの使い勝手が向上できる。特に設定可能なレベルが多い場合に効果が大きい。
【０１００】
なお、ここでは単位移動量の変更方向を別個の操作部材（拡大ボタン７７および縮小ボタン７８）で指定する構成について説明した。しかし、ダイヤルのような回転部材の回転方向を変更方向に対応付けてもよい。また、電動ズームスイッチのようなシーソー型の操作部材の押下位置（テレ方向、ワイド方向）を変更方向に対応付けてもよい。つまり、２種類の入力が可能な任意の１つまたは複数の部材の操作を、単位移動量の変更方向に対応付けることができる。
【０１０１】
（その他の実施形態）
上述の実施形態では光学ファインダに設けられるファインダ内表示部における表示制御について説明した。しかし、電子ビューファインダに表示する撮像画像（ライブビュー画像）に選択枠の表示を重畳させる構成や、撮像画像と共に、選択枠の表示をファインダ内の表示部に表示する構成であってもよい。
【０１０２】
また、選択枠はファインダ光学像やライブビュー画像に重畳して表示されなくてもよい。例えばメニュー画面からＡＦ枠の設定画面が呼び出された場合、システム制御部５０は、ライブビュー画像を表示することなしに、選択枠を表示部２８に選択可能に表示してもよい。
【０１０３】
なお、本発明は、上述した例示的な実施形態の構成に限定されるものではなく、特許請求の範囲によって規定される範囲内で適宜変更可能である。また、システム制御部が行うものとして説明した上述の各種動作は、１つのハードウェアが行ってもよいし、複数のハードウェアが分担して実現してもよい。
【０１０４】
また、上述した実施形態は、本発明を撮像装置の焦点検出領域の選択のための画面表示に適用した場合に関するものであった。しかし、本発明は複数の移動可能な位置の中から１つを選択する任意の画面表示に適用することができる。すなわち、本発明は表示装置と入力装置、制御装置を備える任意の電子機器において実施可能である。このような電子機器にはパーソナルコンピュータ、ＰＤＡ、携帯電話機、スマートフォン、画像ビューワ、プリンタ、デジタルフォトフレーム、メディアプレーヤー、ゲーム機、電子ブックリーダー、タブレット端末、投影装置、家電装置や車載装置などがある。なお、これらは例示であり、他の電子機器にも適用可能である。
【０１０５】
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【０１０６】
１００…デジタルカメラ、１５０…レンズユニット、２８…表示部、５０…システム制御部、５３…ファインダ内表示部、７４…十字キー、７５…ＳＥＴボタン、７７…拡大ボタン、７８…縮小ボタン、７９…設定ボタン
【図１】
2018194653.tif 000003
【図２】
2018194653.tif 000004
【図３】
2018194653.tif 000005
【図４】
2018194653.tif 000006
【図５】
2018194653.tif 000007
【図６】
2018194653.tif 000008
【図７】
2018194653.tif 000009
【図８】
2018194653.tif 000010